(57)【特許請求の範囲】
【請求項１】
ボビンと、
前記ボビンに巻上げられた転写リボンと、
を備えた転写リボン巻取であって、
前記の転写リボンで巻き取られて被覆される箇所ではないボビンの露出した箇所に、平面部分を設けて、その平面部分に、２次元コードが設けられていることを特徴とする転写リボン巻取。
【発明の詳細な説明】
【技術分野】
【０００１】
本発明は、熱転写プリンターで熱転写受像シートに熱転写画像を形成するために使用される転写リボンの巻取に関し、詳しくは転写リボンをボビンに巻上げた転写リボン巻取に関わるものである。
【背景技術】
【０００２】
従来、熱転写プリンターへの転写リボンの装着を容易にするため、カセットケース内の左右にそれぞれ転写リボンを繰り出す供給ボビンとそれを巻き取る巻上ボビンとを収納した転写リボン用カセットが一般に用いられている。このカセットをプリンターに装填すると、プリンターの駆動装置により、転写リボンが供給ボビンから引き出され、サーマルヘッドにより、熱転写の画像記録を熱転写受像シートに行ない、転写リボンは巻上ボビンに巻き取られていく。
【０００３】
そして、上記の如き転写リボン用カセットは、その転写リボンの記録可能画面数や記録サイズ、記録する用途別（スタンダード、ＯＨＰ、モノクロ、ブラック等）に応じて、多数の種類が用意されることが多いことから、カセットケースの外面にバーコード等の識別マークを設けておき、カセットをプリンターに装填した時点で、プリンター側はこれを読み取ることにより、当該カセットの固有情報を判別できるようにしたものが従来から使用されている。（例えば、特許文献１及び特許文献２参照）。
【０００４】
また、特許文献３には、プリンター本体と、そのプリンターの装填される転写リボンカセットとの間で無線通信によりデータの送受信を行なうもので、転写リボンカセット側に記憶された当該転写リボンカセットの管理情報である転写リボンカセットの製造年月日情報などを取得し、取得した製造年月日情報に基づいて印刷処理を制御し、転写リボンの経時変化による発色特性の変化に対応する色補正を行なうことが記載されている。上記の無線通信は具体的にはカセットにＲＦ−ＩＤを取り付けて、プリンターに情報を伝達している。
【０００５】
しかし、特許文献１、２に記載している情報伝達手段では、対象とする情報量が少なく、製造年月日情報に基づいた色補正の記録などが必要となった場合には、多様な情報を利用した記録が行なえない事が問題になる可能性がある。また、特許文献３のＲＦ−ＩＤを使用した方法では、情報量は十分であるが、通信手段として使用するＲＦ−ＩＤが高価であることから、これに代わる安価な情報伝達手段が必要とされている。
【先行技術文献】
【特許文献】
【０００６】
【特許文献１】実開昭６３−６８４５３号公報
【特許文献２】実開平３−２９３６７号公報
【特許文献３】特開２００８−１１４４２５号公報
【発明の概要】
【発明が解決しようとする課題】
【０００７】
したがって、上記の問題を解決するために本発明の目的は、熱転写プリンターで熱転写受像シートに熱転写画像を形成するために使用される転写リボンの種類（画面数、サイズ、用途等）を容易に認識でき、また転写リボンの製造年月日情報に基づいた色補正の記録など転写リボン固有の情報に基づいた記録が可能であり、また製造及び取扱上で支障がない転写リボンの巻取を提供することである。
【課題を解決するための手段】
【０００８】
上記目的は以下の本発明によって達成される。即ち、本発明は、ボビンと、前記ボビンに巻上げられた転写リボンと、を備えた転写リボン巻取であって、前記の転写リボンで巻き取られて被覆される箇所ではないボビンの露出した箇所に、平面部分を設けて、その平面部分に、２次元コードが設けられていることを特徴とする転写リボン巻取である。
【００１０】
上記の転写リボン巻取は、熱転写プリンターに装填されて熱転写受像シートに熱転写画像を形成する際に、その転写リボン巻取を構成するボビンの表面に設けた２次元コードを、熱転写プリンター側に有する読取装置により、検知して読み取って、印画する画面数、サイズ、用途等に応じた熱転写プリンターの印画条件を容易に設定できる。また、上記と同様に、２次元コードを読み取って、転写リボンの製造年月日情報に基づいた色補正の記録など転写リボン固有の情報に基づいた記録が可能となり、鮮明で安定した熱転写画像を容易に作製することができる。
【発明の効果】
【００１１】
本発明の転写リボン巻取は、転写リボンをボビンに巻上げた転写リボン巻取であって、熱転写プリンターで熱転写受像シートに熱転写画像を形成するために使用して、前記転写リボンの種類（画面数、サイズ、用途等）を容易に認識でき、また前記転写リボンの製造年月日情報に基づいた色補正の記録など転写リボン固有の情報に基づいた記録が可能であり、鮮明で安定した熱転写画像を容易に作製することができる。また、転写リボン巻取の製造及び取扱上で支障がない。
【図面の簡単な説明】
【００１２】
【図１】本発明の転写リボン巻取の一つの参考実施形態を示す概略図である。
【図２】本発明の転写リボン巻取の他の参考実施形態を示す概略図である。
【図３】本発明の転写リボン巻取の使用形態を説明する概略図である。
【図４】本発明の転写リボン巻取の他の実施形態を示す概略図である。
【図５】本発明の転写リボン巻取の他の参考実施形態を示す概略図である。
【図６】本発明の転写リボン巻取の他の実施形態を示す概略図である。
【発明を実施するための形態】
【００１３】
次に、発明の実施の形態について、詳述する。
図１は本発明の転写リボン巻取の一つの参考実施形態を示し、その転写リボン巻取１は、ボビン２の表面に、長尺の転写リボン３を巻上げたものであり、図１ではボビン２の両端には、転写リボン３が巻き取られていなく、転写リボン３によりボビン２の表面が被覆されていなく、ボビン２の表面が露出された状態である。そのボビン露出部５に、２次元コード４が設けられている。
【００１４】
図示した２次元コード４は、基材の裏面に接着剤層を有し、該基材の表面に２次元コードが印刷された形態である。この形態に限らず、２次元コードはボビンの転写リボンで巻き取られて被覆される箇所ではない露出した箇所で、ボビン表面に直接、印刷形成することも可能である。
【００１５】
図１で示した転写リボン巻取は、熱転写の印画するための供給用の巻取であるが、実際には、図１で示した転写リボン巻取の転写リボンの巻き出される先端部を、巻上ボビン６に接着させて、印画で使用された転写リボンを巻上げて使用される。その供給用巻取７と巻上ボビン６が一対となった形態の場合、巻上ボビン６の表面に２次元コードを設けることも可能である。（図３参照）
【００１６】
図２は本発明の転写リボン巻取の他の参考実施形態を示し、その転写リボン巻取２は、転写リボン３をボビン２に巻上げた転写リボン巻取１であって、その転写リボン３の表面に、２次元コード４が設けられている。図示した２次元コード４は、転写リボン３の表面に直接、印刷されたものである。これに限らずに、２次元コード４を図１に示したように、裏面に接着剤層を有する基材の表面に印刷形成されたものでもよい。
【００１７】
また、図２で示した転写リボン巻取は、転写リボン３の巻き出し部の近辺に、２次元コードを取り付けることで、転写リボンの種類（画面数、サイズ、用途等）、あるいは転写リボンの製造年月日情報に基づいた色補正のデータなどを、熱転写受像シートに印画する前に、熱転写プリンターに認識させて、正常であり、かつ鮮明な熱転写画像を容易に作製することができる。また、転写リボンの流れ方向の任意の位置で、例えば、転写リボンの不良箇所がある直前の位置で、この位置から記憶させた画面数まで不良があるので、印画をせずに、空送りするデータを示す２次元コードを設けることも可能である。
【００１８】
図４は本発明の転写リボン巻取の他の実施形態を示し、その転写リボン巻取１は、ボビン２の表面に、長尺の転写リボン３を巻上げたものであり、図示したボビン２は８角形の断面形状を有した多角柱である。そのボビン２の両端には、転写リボン３が巻き取られていなく、転写リボン３によりボビン２の表面が被覆されていなく、ボビン２の表面が露出された状態である。そのボビン露出部５であり、多角柱の平面部分８に、２次元コード４が設けられている。
【００１９】
図１に示した転写リボン巻取では、円筒（円柱）形状の曲面に、２次元コードが設けられているので、読取センサーの種類にもよるが、その２次元コードの読取が安定しない場合がある。それに対し、転写リボンで巻き取られて被覆されていないボビンの露出した箇所に、平面部分を設けて、その平面部分に、２次元コードを設けることで、２次元コードの読取がより安定する。図示したボビンは、８角柱のボビンであったが、これに限らず、ボビンに巻かれる転写リボンにシワや歪みが生じなければ、多角形であれば良い。但し、多角形は左右対称である正多角形が好ましい。
また、ボビンの多角形の各頂点、及び多角柱の稜線において、角を丸めて、巻かれる転写リボンにシワや歪みが生じないようにしておくことが好ましい。
【００２０】
図５は本発明の転写リボン巻取の他の参考実施形態を示し、その転写リボン巻取１は、ボビン２の表面に、長尺の転写リボン３を巻上げたものであり、図示したボビン２は円柱の形状であるが、ボビン２の両端に、転写リボン３が巻き取られていなく、転写リボン３によりボビン２の表面が被覆されていなく、ボビン２の表面が露出されたボビン露出部５をもち、そのボビン露出部５に、平面部分８を四角形で、局所的に設けて、その平面部分８に、２次元コード４が設けられている。図示した平面部分は四角形であるが、これに限らず、２次元コードを、その平面部分に設けられれば、円形、楕円形など形状は問わない。
【００２１】
図６は本発明の転写リボン巻取の他の実施形態を示し、その転写リボン巻取１は、ボビン２の表面に、長尺の転写リボン３を巻上げたものであり、図示したボビン２は円柱の形状であるが、ボビン２の両端に、転写リボン３が巻き取られていなく、かつボビン２の一方の端に、ボビン付属品９が脱着可能に装着されている。また、そのボビン付属品９は、図示したものは８角形の断面形状を有した多角柱である。そのボビン付属品９には、転写リボン３が巻き取られていなく、転写リボン３によりボビン付属品９の表面が被覆されていなく、表面が露出された状態である。そのボビン露出部５である多角柱の平面部分８に、２次元コード４が設けられている。ボビン付属品９はボビンの端に装着されるもので、本発明では、ボビン付属品がボビンに装着したものも、ボビンの構成とする。したがって、ボビン付属品がボビンに装着し、そのボビン付属品の露出箇所に、平面部分を設けた場合でも、ボビンの露出した箇所に、平面部分を設けた構成といえる。
【００２２】
図４〜６で示した転写リボン巻取において、２次元コードは基材の裏面に接着剤層を有し、該基材の表面に２次元コードが印刷された形態、あるいはボビン表面に直接、印刷形成してもよい。さらに、図４〜６で示した転写リボン巻取は、熱転写の印画するための供給用の巻取であるが、実際には、図示した転写リボン巻取の転写リボンの巻き出される先端部を、巻上ボビン６に接着させて、印画で使用された転写リボンを巻上げて使用される。その供給用巻取７と巻上ボビン６が一対となった形態の場合、巻上ボビン６の表面に、図４〜６で示したような形態で２次元コードを設けることも可能である。
【００２３】
以下、転写リボン巻取を構成する各要素について、詳細に説明する。
（ボビン）
本発明の転写リボン巻取のボビン２は、プラスチック（熱可塑性樹脂）を使用して射出成形や押し出し成形等の成形方法で成形される加工品である。ボビンを構成する熱可塑性樹脂は、射出成形や押し出し成形等の成形方法で成形できるものあれば、特に限定されない。具体的には、ポリスチレン、ＡＢＳ、ポリエチレン、ポリプロピレン、ポリ塩化ビニル、ポリアセタール、ポリカーボネート等の樹脂が挙げられる。また、その樹脂は、単一種類だけではなく、異なる樹脂を混合した、いわゆるポリマーブレンドとしてもよい。単一種類の樹脂では不足する性能を、別の樹脂を混合して補充し、より以上の性能を引き出すことができる。また、上記の樹脂の中でも、ポリプロピレンが好ましく、使用することができる。ポリプロピレンは、引張強度、剛性等の機械的性質が強く、表面は傷つきにくい。また、汎用樹脂であり、低価格であり、成形加工しやすい。
【００２４】
上記のボビンの大きさは限定されるものではなく、熱転写プリンターに装填されて、転写リボン巻取に設けられた２次元コードを読み取ることができ、熱転写受像シートに熱転写画像を形成できればよい。例えば、個人用途向けの熱転写プリンターでは、プリンターの小型化が進んでおり、ボビンの外径は１０ｍｍ〜３０ｍｍ程度が、多く使用されている。但し、ボビンの外径が１０ｍｍより小さいと、ボビン表面に２次元コードを設けた場合、その２次元コードの設けられたボビン表面である曲面の曲率が大きく、そのコード読取精度が下がってくる。よってボビン表面に２次元コードを設けた場合、ボビンの外径は２０ｍｍ程度が下限である。
【００２５】
（転写リボン）
本発明の転写リボン巻取における転写リボン３は、基材フィルムの一方の面に熱転写色材層を設けたもので、その熱転写色材層は熱溶融性インキ層または昇華性染料インキ層（染料層）の２種類に大別される。転写リボンで用いられる基材フィルムとしては、従来の転写リボン（熱転写シート）に使用されているものと同じ基材フィルムをそのまま用いることが出来ると共に、その他のものも使用することが出来、特に制限されない。好ましい基材フィルムの具体例としては、例えば、ポリエステル、ポリプロピレン、セロハン、ポリカーボネート、酢酸セルロース、ポリエチレン、ポリ塩化ビニル、ポリスチレン、ナイロン、ポリイミド、ポリ塩化ビニリデン、ポリビニルアルコール、フッ素樹脂、塩化ゴム、アイオノマー等のプラスチックが挙げられる。この基材フィルムの厚さは、その強度及び熱伝導性が適切になるように材料に応じて適宜変更することが出来るが、その厚さは、好ましくは、例えば、２〜２５μｍである。
【００２６】
熱溶融性インキ層は、従来公知の着色剤とバインダーよりなり、必要に応じて、鉱物油、植物油、ステアリン酸等の高級脂肪酸、可塑剤、熱可塑性樹脂、充填剤等の種々の添加剤を加えたものが使用される。バインダーとして用いられるワックス成分としては、例えば、マイクロクリスタリンワックス、カルナバワックス、パラフィンワックス等がある。更に、フィッシャートロプシュワックス、各種低分子量ポリエチレン、木ロウ、ミツロウ、鯨ロウ、イボタロウ、羊毛ロウ、セラックワックス、キャンデリラワックス、ペトロラクタム、ポリエステルワックス、一部変性ワックス、脂肪酸エステル、脂肪酸アミド等、種々のワックスが用いられる。
【００２７】
熱溶融性インキ層のバインダーとして用いられる樹脂成分としては、例えば、エチレン−酢酸ビニル共重合体、エチレン−アクリル酸エステル共重合体、ポリエチレン、ポリスチレン、ポリプロピレン、ポリブテン、石油樹脂、塩化ビニル樹脂、塩化ビニル−酢酸ビニル共重合体、ポリビニルアルコール、塩化ビニリデン樹脂、メタクリル樹脂、ポリアミド、ポリカーボネート、フッ素樹脂、ポリビニルフォルマール、ポリビニルブチラール、アセチルセルロース、ニトロセルロース、ポリ酢酸ビニル、ポリイソブチレン、エチルセルロース又はポリアセタール等が挙げられるが、特に従来から感熱接着剤として使用されている比較的低軟化点、例えば、５０〜８０℃の軟化点を有するものが好ましい。
【００２８】
着色剤としては、公知の有機または無機の顔料、あるいは染料の中から適宜選択することができ、例えば、十分な着色濃度を有し、光、熱等により変色、退色しないものが好ましい。また、着色剤の色としては、シアン、マゼンタ、イエロー、ブラックに限定されるものではなく、種々の色の着色剤を使用することができる。
【００２９】
熱溶融性インキ層の形成は、上記のような着色剤成分とバインダー成分と、さらに、これに必要に応じて水、有機溶剤等の溶媒成分を配合調整した熱溶融性インキ層形成用塗工液を、従来公知のホットメルトコート、ホットラッカーコート、グラビアコート、グラビアリバースコート、ロールコート等の方法で行う。また、水系又は非水系のエマルジョン塗液を用いて形成する方法もある。熱溶融性インキ層の厚みは、必要な印字濃度と熱感度との調和がとれるように、乾燥状態で０．１ｇ／ｍ2〜３０ｇ／ｍ2の範囲、好ましくは、１ｇ／ｍ2〜２０ｇ／ｍ2程度が、好ましい。
【００３０】
次に、昇華性染料インキ層は、昇華性染料をバインダー樹脂で担持させた層である。使用する染料は、従来公知の転写リボンで使用されているものが、いずれも本発明に有効に使用可能であり、特に限定されない。例えば、いくつかの好ましい染料としては、赤色染料として、ＭＳ  Ｒｅｄ  Ｇ、Ｍａｃｒｏｌｅｘ  ＲｅｄＶｉｏｒｅｔ  Ｒ、Ｃｅｒｅｓ  Ｒｅｄ  ７Ｂ、Ｓａｍａｒｏｎ  Ｒｅｄ  ＨＢＳＬ、Ｒｅｓｏｌｉｎ  Ｒｅｄ  Ｆ３ＢＳ等が挙げられ、又、黄色の染料としては、ホロンブリリアントイエロー６ＧＬ、ＰＴＹ−５２、マクロレックスイエロー６Ｇ等が挙げられ、又、青色染料としては、カヤセットブルー７１４、ワクソリンブルーＡＰ−ＦＷ、ホロンブリリアントブルーＳ−Ｒ、ＭＳブルー１００等が挙げられる。
【００３１】
上記の如き昇華性染料を担持するためのバインダー樹脂としては、従来公知のものがいずれも使用でき、好ましいものを例示すれば、エチルセルロース、ヒドロキシエチルセルロース、エチルヒドロキシセルロース、ヒドロキシプロピルセルロース、メチルセルロース、酢酸セルロース、アセチルブチルセルロース等のセルロース系樹脂、ポリビニルアルコール、ポリ酢酸ビニル、ポリビニルブチラール、ポリビニルアセタール、ポリビニルピロリドン、ポリアクリルアミド等のビニル系樹脂、ポリエステル等が挙げられる。
【００３２】
また、昇華性染料インキ層は、上記の染料と、バインダー樹脂の他に必要に応じて従来公知の種々の添加剤を含めることができる。そして、適当な溶剤中に、上記の染料、バインダー樹脂と、添加剤を加えて各成分を溶解または分散させてインキを調整し、これを基材フィルム上に、熱溶融性インキ層で挙げた従来公知の塗工形成方法と同様の方法により、昇華性染料インキ層を形成する。昇華性染料インキ層の厚みは、乾燥状態で０．１ｇ／ｍ2〜５．０ｇ／ｍ2、好ましくは０．４〜２．０ｇ／ｍ2程度である。
【００３３】
また、転写リボンは、基材フィルムの他方の面に、サーマルヘッドの粘着を防止し、且つ、滑り性を良くするために、耐熱滑性層を設けることも可能である。この耐熱滑性層は、バインダー樹脂に、滑り剤、界面活性剤、無機粒子、有機粒子、顔料等を添加したものを、好適に使用し、形成される。耐熱滑性層に使用されるバインダー樹脂は、例えば、エチルセルロース、ヒドロキシエチルセルロース、ヒドロキシプロピルセルロース、メチルセルロース、酢酸セルロース、アセチルブチルセルロース、硝化綿などのセルロース系樹脂、ポリビニルアルコール、ポリ酢酸ビニル、ポリビニルブチラール、ポリビニルアセタール、ポリビニルピロリドン、アクリル樹脂、ポリアクリルアミド、アクリロニトリル−スチレン共重合体などのビニル系樹脂、ポリエステル樹脂、ポリウレタン樹脂、シリコーン変性またはフッ素変性ウレタン樹脂などが、あげられる。これらのなかで、数個の反応性基、例えば、水酸基を有しているものを使用し、架橋剤として、ポリイソシアネートなどを併用して、架橋樹脂を使用することが耐熱性を高めるため、好ましい。
【００３４】
（２次元コード）
本発明の転写リボン巻取は、２次元コードを、ボビンの転写リボンで巻き取られて被覆される箇所ではない露出した箇所に、設ける形態と、転写リボンの表面に、設ける形態とがある。まず、ボビンに２次元コードを設ける場合、上記に説明したボビン成形品の表面に、２次元コード形成用の転写層を設けた転写箔をホットスタンプで、２次元コードを転写形成することができる。また、インクジェット記録、熱転写記録（熱溶融転写による記録）等の記録方法で、ボビン成形品の表面に、２次元コードを形成することができる。この記録方法によれば、転写リボン毎に製造年月日が異なった場合、また対象の転写リボン自体の色再現特性が異なった場合等における色補正のための可変情報を、その記録するための信号を変えるだけで、簡単に記録することができ、非常に有用である。
【００３５】
転写リボンの表面に、２次元コードを設ける場合、上記に説明した転写リボンの基材フィルムにおいて、熱転写色材層の設けられていない基材フィルム表面上に、２次元コードを設けることが好ましい。その２次元コードを設ける方法は、基材フィルム表面上に、グラビア印刷等の印刷方法で、２次元コードを印刷形成することができる。また、グラビア印刷等の印刷版を用いないで、インクジェット記録、熱転写記録（熱溶融転写による記録）等の記録方法で、版を用いないで、２次元コードを形成することができる。この記録方法によれば、上記のボビン成形品の表面に、２次元コードを形成する場合と同様に、転写リボン自体の製造年月日や、色再現特性が異なった場合等における色補正のための可変情報を、その記録するための信号を変えるだけで、簡単に記録することができ、非常に有用である。
【００３６】
２次元コードは、横方向にしか情報をもたない１次元コード（バーコード）に比べ、水平方向と垂直方向に情報をもつ表示方式のコードである。１次元コードに比べ、より多くの情報をコード化でき、さらにコードの印刷面積を小さくできるものである。２次元コードには、ＱＲコード（登録商標）の他に、マイクロＱＲコード（登録商標）、ＰＤＦ方式のコード、Ｄａｔａ  Ｍａｔｒｉｘ（登録商標）方式のコード、Ｍａｘｉ  Ｃｏｄｅ（登録商標）などがあり、本発明で適用できる。ＱＲコード（登録商標）、Ｄａｔａ  Ｍａｔｒｉｘ（登録商標）方式のコード、Ｍａｘｉ  Ｃｏｄｅ（登録商標）は、それぞれマトリックス式のコードの一種である。ＰＤＦは、スタック式のコードの一種である。これらの他の２次元コードによるパターンであっても、情報が記録されていれば使用できる。
【００３７】
また、上記のボビン成形品の表面及び転写リボンの表面に２次元コードを設ける、いずれの場合においても、以下の方法が適用できる。それは、裏面に接着剤層を設けた基材の表面に、２次元コードを上記に示したグラビア印刷等の印刷方法で設ける、あるいはインクジェット記録、熱転写記録（熱溶融転写による記録）等の記録方法で、２次元コードを形成し、２次元コードを表面に有するラベル（シール）を作成し、そのラベルを対象の箇所に、ラベルの接着剤層により貼り付けることができる。
【００３８】
上記に説明した２次元コードに光照射して、その反射光を読み取って、情報を認識するので、２次元コードの印刷インキあるいは記録インキは反射性の高い黒色、銀色などの色相を用いることが好ましい。また、２次元コードが付与されていることを隠蔽したい場合には、２次元コードの印刷インキあるいは記録インキは、可視光では認識できない。例えば紫外線照射により発光する蛍光インキ、赤外線吸収インキなどを用いることで、セキュリティ性を高めることができる。
【００３９】
上記に説明した本発明の転写リボン巻取は、専用のカセットに収納されて、熱転写プリンターに装填する。あるいは、熱転写プリンターに内蔵されたカセットに、本発明の転写リボン巻取を装填することができる。または、図３に示したように、一対の巻取の形態で、カセットなしで、熱転写プリンターに装填することも可能である。
【００４０】
（２次元コードの読取方法）
本発明の転写リボン巻取に設けられた２次元コードの読取方法を以下に説明する。
熱転写プリンターに、本発明の転写リボン巻取を装填し、ボビン表面で露出した箇所に、あるいは転写リボンの表面に設けられた２次元コードに対し、その熱転写プリンターに内蔵された読取装置から、光（ＬＥＤ）を照射する。その照射された光の２次元コードの反射光を、ＣＣＤイメージセンサ等で電気信号に変換する。その信号を２値化信号に変換してから、２次元コードの規則に従ってデコードし、読取データとして出力する。
【００４１】
その読取データは、例えば、その転写リボンで印画する画面数、印画サイズ、用途（スタンダード、ＯＨＰなど）等を設定するデータである。あるいは転写リボン固有の製造年月日からの色補正データ、転写リボン自体の色再現特性からの色補正データ、あるいは転写リボンの不良箇所を示すデータなどの可変情報である。
【００４２】
上記の転写リボン固有の製造年月日からの色補正データは、例えば、その製造年月日から今、使用される年月日までの経時変化の影響を少なくするため、その転写リボンとしてもっている印画で再現される色の標準から、経時で変化する色を補正するデータが挙げられる。また、転写リボン自体の色再現特性からの色補正データは、例えば、その転写リボン（種類）の標準ロットと比べ、対象とする転写リボンで印画した場合の光学濃度差を予め設定して、その光学濃度差を色補正データとすることができる。
【実施例】
【００４３】
次に実施例、参考例を挙げて、本発明を更に具体的に説明する。以下、特に断りのない限り、部又は％は質量基準である。
（参考実施例１）
ポリプロピレンを射出成形して図１に示すような外径が２０ｍｍで、肉厚４ｍｍのボビン２を用意した。耐熱滑性層を片面に有する基材フィルムの他方の面に、昇華性染料インキ層（染料層）として、イエロー染料層、マゼンタ染料層、シアン染料層の３色の染料層が面順次に形成されている転写リボン３を、上記のボビン２に巻上げた。その巻上げた巻取の両端にボビンの露出された部分５があり、その一方の端の露出部５に２次元コードが印刷されたラベルを貼り付けた。（図１参照）
【００４４】
上記の２次元コードの印刷されたラベルは、基材の一方の面に、感圧接着剤を塗布し、基材の他方の面に、その転写リボンで印画可能な画面数である１００画面のデータ、印画サイズとしてポストカードサイズのデータ、用途としてスタンダードのデータを有する２次元コードのＱＲコード（登録商標）で、黒のインキでグラビア印刷して作製しておいた。
上記の作製した転写リボン巻取を、供給用巻取として、巻上ボビンと一対にして、熱転写プリンターに装填し、熱転写受像シートに連続して印画を行なった。
【００４５】
上記の転写リボン巻取を熱転写プリンターに装填し、熱転写プリンター側に有する読取装置により、２次元コードを正常に読み取って、印画可能な画面数、印画サイズ、用途に応じた熱転写プリンターの印画条件を容易に設定でき、印画を開始できた。得られた印画物は、予定していた通り、鮮明で安定した熱転写画像であった。また、上記の転写リボン巻取の製造及び取扱上で支障がなく、正常なものであった。
【００４６】
（参考実施例２）
上記の参考実施例１で作製した転写リボン巻取で、２次元コードを有するラベルを以下の条件のものに変更した。それ以外は参考実施例１と同様にして、参考実施例２の転写リボン巻取を作製した。基材の一方の面に、感圧接着剤を塗布し、基材の他方の面に、その転写リボンで印画可能な画面数である１００画面のデータ、印画サイズとしてポストカードサイズのデータ、用途としてスタンダードのデータ、さらにその転写リボンの製造年月日のデータ、またその転写リボンの色再現特性の標準ロットと比べた印画における光学濃度差のデータ（予想値）を有する２次元コードのＱＲコード（登録商標）で、熱転写記録（熱溶融転写による記録）の記録方法で、黒色で記録した。
【００４７】
上記の作製した転写リボン巻取を、供給用巻取として、巻上ボビンと一対にして、熱転写プリンターに装填し、熱転写受像シートに連続して印画を行なった。
上記の転写リボン巻取を熱転写プリンターに装填し、熱転写プリンター側に有する読取装置により、２次元コードを正常に読み取って、印画可能な画面数、印画サイズ、用途に応じた熱転写プリンターの印画条件を容易に設定できた。さらに、製造年月日からの経時変化を考慮した色補正データ、及びその転写リボン（種類）の標準ロットと比べ、印画の光学濃度差を補正する色補正データを、２次元コードを読み取り、また適宜、データ変換して、正常に読み取り、参考実施例１の印画物と比べ、より鮮明で安定した熱転写画像を有する印画物であった。
【００４８】
（実施例３）
上記の参考実施例２で作製した転写リボン巻取で、ボビンを図４で示すような外形２０ｍｍで、肉厚４ｍｍの正８角形の断面を有する８角柱のものに変更した。そのボビンはポリプロピレンを射出成形したものである。また、２次元コードが印刷されたラベルを、ボビン露出部５の平面部分８に貼り付けた。（図４参照）それ以外は、参考実施例２と同様にして、転写リボン巻取を作製した。
【００４９】
上記の作製した転写リボン巻取を、供給用巻取として、巻上ボビンと一対にして、熱転写プリンターに装填し、熱転写受像シートに連続して印画を行なった。
上記の転写リボン巻取を熱転写プリンターに装填し、熱転写プリンター側に有する読取装置により、２次元コードを正常に読み取って、印画可能な画面数、印画サイズ、用途に応じた熱転写プリンターの印画条件を容易に設定できた。さらに、製造年月日からの経時変化を考慮した色補正データ、及びその転写リボン（種類）の標準ロットと比べ、印画の光学濃度差を補正する色補正データを、２次元コードを読み取り、また適宜、データ変換して、正常に読み取り、参考実施例１の印画物と比べ、より鮮明で安定した熱転写画像を有する印画物であった。また、２次元コードの読取において、参考実施例２と比べ、２次元コードの読取がより安定したものであった。
【００５０】
（実施例４）
上記の参考実施例２で作製した転写リボン巻取で、ボビンを図６で示すような外径が２０ｍｍで、肉厚４ｍｍのボビンとし、そのボビンの一方の端に、ボビン付属品９を装着した。そのボビン付属品９は、外形２０ｍｍで、肉厚４ｍｍの正８角形の断面を有する８角柱のものを使用した。そのボビン及びボビン付属品とも、ポリプロピレンを射出成形したもので、両者の装着は凹部と凸部とを嵌合するものとした。また、２次元コードが印刷されたラベルを、ボビン露出部５で、ボビン付属品９の平面部分８に貼り付けた。（図６参照）それ以外は、参考実施例２と同様にして、転写リボン巻取を作製した。
【００５１】
上記の作製した転写リボン巻取を、供給用巻取として、巻上ボビンと一対にして、熱転写プリンターに装填し、熱転写受像シートに連続して印画を行なった。
上記の転写リボン巻取を熱転写プリンターに装填し、熱転写プリンター側に有する読取装置により、２次元コードを正常に読み取って、印画可能な画面数、印画サイズ、用途に応じた熱転写プリンターの印画条件を容易に設定できた。さらに、製造年月日からの経時変化を考慮した色補正データ、及びその転写リボン（種類）の標準ロットと比べ、印画の光学濃度差を補正する色補正データを、２次元コードを読み取り、また適宜、データ変換して、正常に読み取り、参考実施例１の印画物と比べ、より鮮明で安定した熱転写画像を有する印画物であった。また、２次元コードの読取において、参考実施例２と比べ、２次元コードの読取がより安定したものであった。さらに、実施例３と比べ、ボビンに巻かれた転写リボンのシワ、歪みは、より少ないものであった。
【００５２】
（参考実施例５）
ポリプロピレンを射出成形して図２に示すような外径が２０ｍｍで、肉厚４ｍｍのボビン２を用意した。耐熱滑性層を片面に有する基材フィルムの他方の面に、昇華性染料インキ層（染料層）として、イエロー染料層、マゼンタ染料層、シアン染料層の３色の染料層が面順次に形成されている転写リボン３を、上記のボビン２に巻上げた。但し、転写リボン３の巻き出し部の近辺で、転写リボン表面に、２次元コードであるＱＲコード（登録商標）で熱転写記録（熱溶融転写による記録）の記録方法で、黒色で記録した。（図２参照）
【００５３】
上記の２次元コードは、その転写リボンで印画可能な画面数である１００画面のデータ、印画サイズとしてポストカードサイズのデータ、用途としてスタンダードのデータ、さらにその転写リボンの製造年月日のデータ、またその転写リボンの色再現特性の標準ロットと比べた印画における光学濃度差のデータ（予想値）を有する条件とした。
【００５４】
上記の作製した転写リボン巻取を、供給用巻取として、巻上ボビンと一対にして、熱転写プリンターに装填し、熱転写受像シートに連続して印画を行なった。
上記の転写リボン巻取を熱転写プリンターに装填し、熱転写プリンター側に有する読取装置により、２次元コードを正常に読み取って、印画可能な画面数、印画サイズ、用途に応じた熱転写プリンターの印画条件を容易に設定できた。さらに、製造年月日からの経時変化を考慮した色補正データ、及びその転写リボン（種類）の標準ロットと比べ、印画の光学濃度差を補正する色補正データを、２次元コードを読み取り、また適宜、データ変化して、正常に読み取り、参考実施例１の印画物と比べ、より鮮明で安定した熱転写画像を有する印画物であった。
【符号の説明】
【００５５】
１      転写リボン巻取
２      ボビン
３      転写リボン
４      ２次元コード
５      ボビン露出部
６      巻上ボビン
７      供給用巻取
８      平面部分
９      ボビン付属品
【図１】
0006040668.tif 000002
【図２】
0006040668.tif 000003
【図３】
0006040668.tif 000004
【図４】
0006040668.tif 000005
【図５】
0006040668.tif 000006
【図６】
0006040668.tif 000007